(57)【要約】      （修正有）【課題】屋外真空遮断器を提供する。【解決手段】屋外真空遮断器は、制御ボックス１、ばね操作システム、３つの真空バルブ２および３つの真空バルブ２それぞれに設置された変流器３を含む。３つの真空バルブ２は制御ボックス１に固定して設置されている。ばね操作システムは、制御ボックス１内に収められている。３つの真空バルブ２は、全て真空バルブ動作を制御するための絶縁ロッドがある。３つの絶縁ロッドは、全てばね操作システムと連結している。ばね操作システムは、フレームおよびフレームに設置されている操作装置と固定および開放装置により構成されている。上述した屋外真空遮断器の構造は簡単であり、操作工数が少なく、安全面での信頼性は高く、作業の信頼性も高くなる。【選択図】図１
0003198725.tif 000002
【実用新案登録請求の範囲】
【請求項１】
制御ボックス（１）、ばね操作システム、３つの真空バルブ（２）および３つの真空バルブ（２）それぞれに設置された変流器（３）を含む屋外真空遮断器であって、
３つの真空バルブ（２）は、
制御ボックス（１）に固定して設置されており、ばね操作システムは制御ボックス（１）内部に備え付けられており、
３つの真空バルブ（２）の全ては、真空バルブを制御するための絶縁ロッド（４）に設置され、３つの絶縁ロッド（４）全ては、ばね操作システムと連結し、
ばね操作システムが、フレーム（５）およびフレーム（５）に設置されている操作装置と、固定および開放装置により構成されていることを特徴とし、
操作装置には、
蓄勢ばね（６）、リセットばね（７）、可動接触子ばね（８）、第一カム（９）、平行する４つの絶縁ロッドを含み、平行する４つの絶縁ロッドには、第一フレームロッド（１０）、第二フレームロッド（１１）、第一連結ロッド（１２）、フレーム（１３）、第一フレームロッド（１０）と共に絶縁ロッド極相状態を形成する第二連結ロッド（１４）、第二フレームロッド（１１）と共に絶縁ロッド極相状態を形成する第三連結ロッド（１５）を含み、
第一連結ロッド（１２）には、ローラー（１６）が設置されており、そのローラー（１６）は第一カム（９）と接触あるいは分離し、
第二連結ロッド（１４）は、第三連結ロッド（１５）と長さが等しくかつ相互に平行であり、
第二連結ロッド（１４）の一端、第一フレームロッド（１０）の一端と第一連結ロッド（１２）の一端は、第一止め軸（１７）とヒンジで連結され、
第三連結ロッド（１５）の一端、第二フレームロッド（１１）の一端、第一連結ロッド（１２）の別の一端は、全て第二止め軸（１８）にヒンジで連結され、
第二連結ロッド（１４）と第三連結ロッド（１５）の別の一端は、全てフレーム（１３）とヒンジで連結し、
リセットばね（７）と可動接触子ばね（８）の一端は、全てフレーム（１３）と接触し、
リセットばね（７）の別の一端とフレーム（５）は接触し、
可動接触子ばね（８）の別の一端は、可動接触子（１９）と接触し、
固定および開放装置には、スイングアーム（２０）、第一回転軸（２１）および共働するスイングプレート（２２）と第二カム（２３）を含み、
スイングアーム（２０）の中央部は、回転可能な状態でフレーム（５）に連結し、
スイングアーム（２０）の一端は、第一止め軸（１７）にヒンジで連結し、
スイングアーム（２０）の別の一端には、アークブロック（２４）が設置され、
第一回転軸（２１）は回転可能な状態でフレーム（５）に連結し、
第一回転軸（２１）の内側の球面にはアークブロック（２４）に対応する定位溝（２６）があり、
スイングプレート（２２）の内側は第一回転軸（２１）に固定され、
第二カム（２３）は操作軸（２７）に設置され、
スイングプレート（２２）の一端は、第二カムの（２３）正面上方に設置されている
ことを特徴とする屋外真空遮断器。
【請求項２】
請求項１に記載の前記屋外真空遮断器は、
スイングアーム（２０）の中央部が回転可能な状態でフレーム（５）に連結され、これによりフレーム（５）が、回転する第二回転軸（２８）と連結し、第二回転軸（２８）は、スイングアーム（２０）の中央部と連結し回転する
ことを特徴とする屋外真空遮断器。
【請求項３】
請求項２に記載の前記屋外真空遮断器は、
スイングプレート（２２）の別の一端が、第二回転軸（２８）の正面下方に設置されている
ことを特徴とする屋外真空遮断器。
【請求項４】
請求項１に記載の前記屋外真空遮断器は、
フレーム（５）にスイングアーム（２０）の位置を限定するための定位軸（２９）が設置され、スイングアーム（２０）には、定位軸（２９）と共働するアーク溝（３０）が取り付けられており、定位軸（２９）は、アーク溝（３０）の内側で接触する
ことを特徴とする屋外真空遮断器。
【請求項５】
請求項４に記載の前記屋外真空遮断器は、定位軸（２９）が、アークブロック（２４）のスイングアーム（２０）の一端に近接して設置されている
ことを特徴とする屋外真空遮断器。
【請求項６】
請求項１に記載の前記屋外真空遮断器は、変流器（３）が、屋外プラグ式変流器である
ことを特徴とする屋外真空遮断器。
【請求項７】
請求項１に記載の前記屋外真空遮断器は、真空バルブ（２）が、密封固定真空バルブである
ことを特徴とする屋外真空遮断器。
【請求項８】
請求項１に記載の前記屋外真空遮断器は、制御ボックス（１）胴部が、密封された胴部である
ことを特徴とする屋外真空遮断器。
【考案の詳細な説明】
【技術分野】
【０００１】
本考案は、電力や電気設備に係る、屋外真空遮断器に関するものである。
【背景技術】
【０００２】
屋外真空遮断器は、電力分流の配電過程で一般的に使用されるものである。従来の技術による屋外真空遮断器は、制御ボックス、ばね操作システム、３つの真空バルブとそれぞれに設置された変流器で構成されている。制御ボックス外部には、電源通電ハンドル、スイッチの開閉を示す表示および電源遮断ハンドルが設置されている。この電源通電ハンドル、スイッチの開閉を示す表示および電源遮断ハンドルは全て、接続軸を通して制御ボックスの胴部とばね操作システムを貫き連結されている。３つの真空バルブは、制御ボックス上部に固定して設置されており、ばね操作システムは制御ボックス内に収められている。３つの真空バルブそれぞれには、真空バルブの作動を制御する絶縁ロッドが設置されている。この３つの絶縁ロッドは、全てばね操作システムと連結している。
【０００３】
従来の技術によるばね操作システムは、運転装置、固定と開放をおこなう装置からなっている。この固定と開放をおこなう装置は、リセットばね、スライダー、スライダーと接触するスイングアームからなっている。出力軸はスイングアームと接続されている。スイングアームが振り動く時、スライダーの作動を抑え、リセットばねが作動し一定の位置に達したなら、スライダーはリセットばねにより元の位置に戻り固定される。開放の際、力を入れてスライダーを引くとリセットばねの作用を抑えることになる。一定の位置に達したなら、スライダーはスイングアームと離れ、スイングアームは元の位置に戻る。
【０００４】
上述した構造の屋外真空遮断器は、実際の使用過程において、以下の欠点がみられる。
１、従来の技術によるばね操作システムは、単に一級四連ロッド構造を採用し、ばね操作システムの機能を発揮させている。構造は簡単であるが、この構造そのものは省力構造を備えていない。主に蓄勢ばねの弾性強度、カムを大きくするおよび一級四連ロッドの支点から力点の距離を伸ばす構造により省力という目的が達成される。これではばね操作システムの大きさがかさばり、構造上の無駄および操作工数が多くなる。さらに、ばね操作システムの大型化により３つの真空バルブの間隔が増し、屋外真空遮断器の体積全体が大きくなる。
【０００５】
２、この種の構造による固定および開放装置は、使用過程においてばねの抵抗を克服しなければならないため、操作は幾分困難となる。さらに、開放時にはスイングアームが元に戻るエネルギーが非常に強力になるため、スライダーおよびスイングアームは摩擦による損傷を容易に受け、固定および開放装置の効力は失われる。そのため、従来の技術によるばね操作システムの信頼性は高くない。
【考案の概要】
【考案が解決しようとする課題】
【０００６】
本考案が解決しようとする技術的な問題は、上記の従来の技術による欠点を克服することであり、構造が簡単で、少ない操作工数、さらに、安全面での信頼性が高く、操作性のよい屋外真空遮断器を提供することにある。
【課題を解決するための手段】
【０００７】
上記課題を解決するため本考案は次のような手段を提供する。
本考案の屋外真空遮断器は、制御ボックス、ばね操作システム、３つの真空バルブおよび３つの真空バルブに設置されている変流器を含む。３つの真空バルブは、制御ボックス上に固定されている。ばね操作システムは、制御ボックスの中に収められている。
【０００８】
３つの真空バルブ全てには、真空バルブ作動を制御するための絶縁ロッドが設置されている。３つの絶縁ロッド全ては、ばね操作システムと連結している。ばね操作システムは、フレームおよびフレーム上部に設置されている操作装置と固定および開放装置からなっている。
【０００９】
操作装置には、蓄勢ばね、リセットばね、可動接触子ばね、カム、平行四連ロッドを含む。平行四連ロッドには、第一フレームロッド、第二フレームロッド、第一、固定フレーム、第一フレームロッドと絶縁ロッドが極相状態を呈する第二連結ロッド、第二フレームロッドと絶縁ロッド極相状態を呈する第三連結ロッドを含む。
【００１０】
第一連結ロッドにローラーが設置されており、そのローラーは、カムと接触あるいは分離する。第二連結ロッドは、第三連結ロッドの長さに等しく相互に平行している。第二連結ロッドの一端、第一レバーの一端と第一連結ロッドの一端は全て、第一止め軸とヒンジで連結している。第三連結ロッドの一端、第二レバーの一端、第一連結ロッドの別の一端は全て、第二止め軸とヒンジで連結している。第二連結ロッドと第三連結ロッドの別の一端は全て、サポートとヒンジで連結している。
【００１１】
リセットばねと可動接触子ばねの一端は、サポートと接触し、リセットばねの別の一端は、フレームと接触し、可動接触子ばねは、別の可動接触子ばねと接触している。固定および開放装置には、スイングアーム、第一回転軸および共働するスイングプレートとカムを含む。スイングアームの中央部は、回転する状態でフレームと連結している。スイングアームの一端は出力軸とヒンジで連結しており、スイングアームの別の一端には、アークブロックが設置されている。
【００１２】
第一回転軸は可動状態でフレームに連結している。第二回転軸内部の球面には、アークブロックに対応した定位溝がある。スイングプレートの中央部は、第一軸に固定されている。カムは、操作軸に設置されている。スイングプレートの一端は、カム正面上方に設置されている。
【００１３】
スイングアームの中央が可動状態でフレームに連結しているとは、フレームに連結している第二回転軸が可動し、第二回転軸がスイングアームの中央に可動する状態で連結していることを示す。
【００１４】
スイングプレートの別の一端は、第二回転軸の正面下方に設置されている。
【００１５】
フレームにはさらに、スイングアームの位置を限定するための定位軸が設置されており、スイングアームには、定位軸に対応したアーク溝がある。定位軸は、アーク溝の内側に接触している。
【００１６】
定位軸は、アークブロックに近接するスイングアームの一端に設置されている。
変流器は、屋外プラグ式変流器である。
真空バルブは、密封固定された真空バルブである。
制御ボックス胴部は密封された胴部である。
【考案の効果】
【００１７】
以上の構造を採用する場合、本考案は従来の技術と比較して以下に挙げる長所を有する。
１、本考案は、逆向きの四連ロッドを採用し、省力構造および軸が直接エネルギーを蓄える構造である。絶縁ロッド極相状態を利用する特徴は、極相付近においてこれまでは可動部品の速度がゼロに近くなるため、非常に大きな強度が得られた。可動部品とは、第二連結ロッドと第三連結ロッド、第二連結ロッドと第三連結ロッドに対応する原動部分つまり第一フレームロッドと第二フレームロッドを指す。
このため、本考案は、第二連結ロッドと第三連結ロッドが極相に近づいた状態になったとき、比較的小さな力で第二連結ロッドと第三連結ロッドを駆動させ、同時に第二連結ロッドと第三連結ロッドがフレームに加える力を大きくし、開閉に関する設計上の要求を十分に満たすものである。
これが、蓄勢ばねの硬度をより小さくする決定的な要素となり、サイズはそれに見合った小さいものになるゆえに、省力という目的が達成される。このように、ばね操作システムの体積が小さくなることにより構造に無駄が無くなりまた操作工数も減る。さらに、ばね操作システムが小さくなることにより、３つの真空バルブ相互の距離が縮められることになり、屋外真空遮断器全体の体積は小さくなる。
【００１８】
２、同時に、本考案の固定および開放装置は全てばね抵抗を克服する必要が無く、カムおよび出力軸の動きを利用して、固定および開放装置を作動させる。開放時には、手で軽く第一回転軸を回すだけでよい。そのため、本考案である屋外真空遮断器の操作は非常に簡単である。
その他に、開放時にアークブロックと定位溝の間に接触が無いため、摩耗することにより固定および開放装置が効かなくなる問題は存在しなくなる。そのため、本考案である屋外真空遮断器の作業による信頼性は高い。
【００１９】
改良にあたり、スイングプレートの別の一端が、第二回転軸の正面下方に取り付けられ、これがスイングプレートの位置を定めることに有利となるため、固定および開放装置の作業の信頼性が保障されることになる。
【００２０】
改良にあたり、フレームには、スイングアームの位置を定めるための定位軸をさらに取り付けた。スイングアームには、定位軸に対応するアーク溝がある。定位軸はアーク溝の内側に支えられており、定位溝の利用は、定位軸がより正確な定位となるのに有利である。したがって、固定および開放装置の作業の信頼性は増すことになる。
【００２１】
改良にあたり、変流器は屋外プラグ式変流器とし、変流器の据え付けを簡便にするだけでなく、屋外真空遮断器全体の生産効率を高めるのに有利となる。
【００２２】
改良にあたり、真空バルブは密封固定した真空バルブとし、真空バルブの圧縮性、耐熱性、抗ねじれ性能は向上する。したがって、屋外真空遮断器の作業の信頼性が保障されることになる。
【図面の簡単な説明】
【００２３】
【図１】本考案の屋外真空遮断器の正視図である。
【図２】本考案の屋外真空遮断器の断面図である。
【図３】本考案の小型化した低エネルギー操作装置の立体図である。
【図４】本考案の小型化した低エネルギー操作装置の正視図である。
【図５】本考案の小型化した低エネルギー操作装置の俯瞰図である。
【図６】本考案の小型化した低エネルギー操作装置のＡ−Ａ断面図である。
【図７】本考案のばね操作システム第一方向の構造の見取り図である。
【図８】本考案のばね操作システム第二方向の構造の見取り図である。
【考案を実施するための形態】
【００２４】
次に、図面と実施例を合わせて、本考案についてさらに具体的に説明する。
図１、図２、図３、図４、図５、図６、図７、図８が示すように、本考案である屋外真空遮断器には、制御ボックス１、ばね操作システム、３つの真空バルブ２および３つの真空バルブ２それぞれに設置されている変流器３を含む。制御ボックス１の外部には、さらに電源投入ハンドル３１、開閉表示３２および電源遮断ハンドル２５が設置されており、それら全ては、連結軸により制御ボックス１の胴部とばね操作システムを貫いて連結している。この実施例において、電源投入ハンドル３１の連結軸は、胴部と操作軸２７を貫いて連結している。開閉表示３２の連結軸は、胴部と第一止め軸１７を貫いて連結している。電源遮断ハンドル２５の連結軸は、胴部と第一回転軸２１を貫いて連結している。
【００２５】
３つの真空バルブ２は、制御ボックス１に固定して設置されている。この実施例において、３つの真空バルブ２は、ボルトにより制御ボックスに固定されている。ばね操作システムは、制御ボックス１の内側に設置されている。３つの真空バルブ２全てには、真空バルブ作動を制御する絶縁ロッド４がある。３つの絶縁ロッド４全ては、絶縁ロッド４とばね操作システムと連結している。この実施例において、３つの絶縁ロッド４の一端子部分それぞれは、可動接触子１９と連結している。
【００２６】
ばね操作システムは、フレーム５によりフレーム５の操作装置と固定および開放装置に設置されている。操作装置には、蓄勢ばね６、リセットばね７、可動接触子ばね８、第一カム９、平行四連ロッドを含む。
【００２７】
平行四連ロッドは、第一フレームロッド１０、第二フレームロッド１１、第一連結ロッド１２、フレーム１３、第一フレームロッド１０と共に構成されている極相状態の第二連結ロッド１４、第二フレームロッド１１と共に構成されている極相状態の第三連結ロッド１５を含む。第一連結ロッド１２には、ローラー１６が設置されており、そのローラー１６と第一カム９が接触あるいは分離する。第二連結ロッド１４は、第三連結ロッド１５の長さと等しく、相互は平行である。第二連結ロッド１４の一端、第一フレームロッド１０の一端と第一連結ロッド１２の一端全ては、第一止め軸１７にヒンジで連結しており、第三連結ロッド１５の一端、第二フレームロッド１１の一端、第一連結ロッド１２の別の一端全ては、第二止め軸１８にヒンジで連結している。第二連結ロッド１４と第三連結ロッド１５の別の一端全ては、フレーム１３とヒンジで連結している。リセットばね７と可動接触子ばね８の別の一端は、フレーム１３と接触している。リセットばね７と可動接触子ばね８の一旦はそれぞれフレーム１３に接触している。リセットばね７の別の一端はフレーム５と接触している。可動接触子ばね８の別の一端は、可動接触子１９と接触している。すなわち、可動接触子ばね８を通じて、可動接触子１９と絶縁ロッド４の一端子と接触している。
【００２８】
固定および開放装置には、スイングアーム２０、第一回転軸２１および共働するスイングプレート２２と第二カム２３を含む。スイングアーム２０の中央部は、フレーム５に可動状態で連結している。すなわち、スイングアーム２０の中央部は、フレーム５に対して向かい合っており、左右に回転作動する。スイングアーム２０の一端は、第一止め軸１７にヒンジで連結している。スイングアーム２０の別の一端には、アークブロック２４が設置されている。第一回転軸２１は、可動状態でフレーム５に連結している。第一回転軸２１の内側一端の球面には、アークブロック２４と組み合わせた定位溝２６が設置されている。スイングプレート２２の中央部は、第一回転軸２１に固定されている。第二カム２３は、操作軸２７に設置されている。スイングプレート２２の一端は、第二カム２３の正面上方に設置されている。
【００２９】
スイングアーム２０の中央部が可動状態でフレーム５に連結しているとは、フレーム５に第二回転軸２８が回転可能な状態で連結されており、第二回転軸２８が、スイングアーム２０の中央部と回転可能な状態で連結していることを示している。
スイングプレート２２の別の一端は、第二回転軸２８の正面下方に設置されている。
【００３０】
フレーム５には、スイングアーム２０の位置を限定するための定位軸２９が設置されている。スイングアーム２０には、定位軸２９と組み合わせたアーク溝３０が設置されている。定位軸２９は、アーク溝３０の内側で接触している。
定位軸２９は、アークブロック２４に近接したスイングアーム２０の一端に設置されている。
変流器３は、屋外プラグ式変流器である。
真空バルブ２は、密封固定された真空バルブである。真空バルブは、０．０７５Ａ真空バルブを採用している。制御ボックス１胴部は、密封された胴部である。
【００３１】
電源を入れた時、通電ハンドル３１を回転させることにより操作軸２７が回転し、続いて蓄勢ばね６およびカム９が作動する。これにより、全ての平行四連ロッド構造内部の可動接触子１９、第一回転軸２１、リセットばね７、可動接触子ばね８などが作動する。回転が所定の位置に達した時、第一止め軸１７によりスイングアーム２０が作動する。これにより、スイングアーム２０上のアークブロック２４が振り動き２６と接触する。この時、全てのばね操作システムは、安定した電源供給の状態に置かれる。遮断時、第一回転軸２１の回転により、アークブロック２４は定位溝２６と分離し、ふたたび蓄勢ばね６のエネルギーはリセットされる。
【００３２】
上記は本考案の最適な実施例を単に説明したものだが、これは権利請求を制限するものではない。本考案は上記の実施例のみに限定されるわけではなく、構造上の変化も許容する。本考案の独立権利請求の保護範囲にある各種の変化は、いずれも本考案の保護範囲に置かれる。
【符号の説明】
【００３３】
１  制御ボックス
２  真空バルブ
３  変流器
４  絶縁ロッド
５  フレーム
６  蓄勢ばね
７  リセットばね
８  可動接触子ばね
９  第一カム
１０  第一フレームロッド
１１  第二フレームロッド
１２  第一連結ロッド
１３  サポート
１４  第二連結ロッド
１５  第三連結ロッド
１６  ローラー
１７  第一止め軸
１８  第二止め軸
１９  可動接触子
２０  スイングアーム
２１  第一回転軸
２２  スイングプレート
２３  第二カム
２４  アークブロック
２５  電源遮断ハンドル
２６  定位溝
２７  操作軸
２８  第二回転軸
２９  定位軸
３０  アーク溝
３１  電源投入ハンドル
３２  開閉表示
【図１】
0003198725.tif 000003
【図２】
0003198725.tif 000004
【図３】
0003198725.tif 000005
【図４】
0003198725.tif 000006
【図５】
0003198725.tif 000007
【図６】
0003198725.tif 000008
【図７】
0003198725.tif 000009
【図８】
0003198725.tif 000010